(57)【要約】【課題】ベルマウス吸込部の気流の剥離を抑制して軸動力を低減した軸流送風機を提供すること。【解決の手段】軸流ファン７１と、ベルマウス７４と、を備えた軸流送風機７０において、ベルマウス７４の吸込側の開口部の丸みが小さいためにベルマウス７４の吸込部７６における気流が剥離してしまっていても、ベルマウス７４の上流側にエアガイダー７５を備えることにより気流をベルマウス７４の吸込部７６に押し付ける方向に矯正して剥離を抑制することで軸流送風機７０の通風路の断面積の狭小化を防いで、空気抵抗を低減し、所定の風量を得るための軸動力を低減できることとなる。【選択図】図３
2019183738.tif 000002
【特許請求の範囲】
【請求項１】
軸流ファンと、ベルマウスと、を備え、
前記軸流ファンは、前記軸流ファンの回転軸の周りに複数枚の羽根を備え、前記軸流ファンが回転することによって気流を発生させる構成となっており、
前記ベルマウスは、隙間を有して前記軸流ファンを囲繞する略円筒形状で、前記ベルマウスの吸込部は、前記ベルマウスの稜線で開口しており、前記ベルマウスが前記軸流ファンの回転軸の軸線方向に少なくとも部分的に前記軸流ファンと重複して配置される構成となっている軸流送風機であって、
前記ベルマウスに対して気流の上流側に隙間を有して配置されるエアガイダーを備え、前記エアガイダーの、気流の下流側の稜線は、前記ベルマウスの吸込部の稜線よりも直径が小さく、且つ、気流の上流側に向かって、前記軸流ファンの回転軸の軸線に向かって凸となるように湾曲して広がる前記エアガイダーを備えた前記軸流送風機
【発明の詳細な説明】
【技術分野】
【０００１】
本発明は軸流ファンとベルマウスとを備える軸流送風機に関するものである。
【背景技術】
【０００２】
従来、この種の軸流送風機は、ベルマウスの吸込部を釣り鐘状に広げて、ベルマウスの吸込部における気流の剥離を抑制することで軸動力を低減している（例えば、特許文献１参照）。
【０００３】
図５は、特許文献１に記載された従来の軸流送風機を示すものである。図５に示すように、軸流ファン１と、吸込部２および丸み部３を備えるベルマウス４と、から構成されている。
【先行技術文献】
【特許文献】
【０００４】
【特許文献１】特開２０１２−１３６９４１号公報
【発明の概要】
【発明が解決しようとする課題】
【０００５】
しかしながら、前記従来の構成では、軸流送風機が使われる装置(例えば冷凍サイクル装置)の小型化に伴ってベルマウスの吸込部における丸みを小さくすると気流が剥離するという課題を有しており、剥離した気流はベルマウス表面よりもベルマウスの中心軸側を流れることと、剥離した気流とベルマウスの表面とに囲まれた領域では空気が滞留するので剥離した気流と滞留する空気との境界面が実質の通風路になることと、により、ベルマウスの表面を通風路として設計したにも関わらず、気流が剥離することで軸流送風機の通風路の断面積が小さくなって空気抵抗となり、所定の風量を出すための軸流送風機の軸動力が増加していた。
【０００６】
本発明は、前記従来の課題を解決するもので、ベルマウスの吸込部における気流の剥離を抑制して、剥離した気流と滞留する空気との境界面を解消することで、ベルマウスの表面が実質の通風路となって、気流の剥離による軸流送風機の通風路の断面積の狭小化を抑制できることで、空気抵抗を低減して、軸動力を低減した軸流送風機を提供することを目的とする。
【課題を解決するための手段】
【０００７】
前記従来の課題を解決するために、本発明の軸流送風機は、軸流ファンと、ベルマウスと、を備え、軸流ファンは、軸流ファンの回転軸の周りに複数枚の羽根を備え、軸流ファンが回転することによって気流を発生させる構成となっており、ベルマウスは、隙間を有して軸流ファンを囲繞する略円筒形状で、ベルマウスの吸込部は、ベルマウスの稜線で開口しており、ベルマウスが軸流ファンの回転軸の軸線方向に少なくとも部分的に軸流ファンと重複して配置される構成となっている軸流送風機であって、ベルマウスに対して気流の上流側に隙間を有して配置されるエアガイダーを備え、エアガイダーの、気流の下流側の稜線は、ベルマウスの吸込部の稜線よりも直径が小さく、且つ、気流の上流側に向かって、軸流ファンの回転軸の軸線に向かって凸となるように湾曲して広がるエアガイダーを備えた軸流送風機としたものである。
【０００８】
これによって、ベルマウスの吸込部が気流の剥離防止に十分な丸みを有した釣り鐘形状ではない場合であっても、エアガイダーによって気流をベルマウスの吸込部に押し付けて
、表面に沿うように矯正することで、ベルマウスの吸込部における気流の剥離を抑制することができることとなる。
【発明の効果】
【０００９】
本発明の軸流送風機は、ベルマウスの吸込部における気流の剥離を抑制して、剥離した気流と滞留する空気との境界面を解消することで、ベルマウスの表面が実質の通風路となって、気流の剥離による軸流送風機の通風路の断面積の狭小化を抑制できるので、空気抵抗を低減できて、軸流送風機の軸動力を低減することができる。
【図面の簡単な説明】
【００１０】
【図１】本発明の実施の形態１における冷凍サイクル装置の構成図
【図２】本発明の実施の形態１における軸流送風機の斜視図
【図３】本発明の実施の形態１における軸流送風機の子午面図
【図４】本発明の実施の形態１における軸流送風機の正面図
【図５】従来の軸流送風機の子午面図
【発明を実施するための形態】
【００１１】
第１の発明は軸流ファンと、ベルマウスと、を備え、軸流ファンは、軸流ファンの回転軸の周りに複数枚の羽根を備え、軸流ファンが回転することによって気流を発生させる構成となっており、ベルマウスは、隙間を有して軸流ファンを囲繞する略円筒形状で、ベルマウスの吸込部は、ベルマウスの稜線で開口しており、ベルマウスが軸流ファンの回転軸の軸線方向に少なくとも部分的に軸流ファンと重複して配置される構成となっている軸流送風機であって、ベルマウスに対して気流の上流側に隙間を有して配置されるエアガイダーを備え、エアガイダーの、気流の下流側の稜線は、ベルマウスの吸込部の稜線よりも直径が小さく、且つ、気流の上流側に向かって、軸流ファンの回転軸の軸線に向かって凸となるように湾曲して広がるエアガイダーを備えた軸流送風機とすることにより、ベルマウスの吸込部が気流の剥離防止に十分な丸みを有した釣り鐘形状ではない場合であっても、エアガイダーによって気流をベルマウスの吸込部に押し付けて、表面に沿うように矯正することで、ベルマウスの吸込部における気流の剥離を抑制することができることとなり、気流の剥離による軸流送風機の通風路の断面積の狭小化を抑制できるので、空気抵抗を低減できて、軸流送風機の軸動力を低減することができる。
【００１２】
以下、本発明の実施の形態について、図面を参照しながら説明する。なお、本実施の形態によって本発明が限定されるものではない。
【００１３】
（実施の形態1）
図１は、本発明の第１の実施の形態における冷凍サイクル装置の構成図を示すものである。
【００１４】
図１において、冷凍サイクル装置１０は、主回路１１と、圧縮機２０と、室外熱交換器３１と、室内熱交換器３２と、四方弁４０と、室外膨張弁５１と、室内膨張弁５２と、冷媒貯留槽５３と、室外送風装置６１と、室内送風装置６２と、を備えており、室外熱交換器３１で放熱するとともに室内熱交換器３２で吸熱する、もしくは室外熱交換器３１で吸熱するとともに室内熱交換器３２で放熱するという動作を切り替えることが可能な構成となっている。
【００１５】
冷凍サイクル装置１０を、空気を加熱または冷却することを目的として用いた製品がエアコン等と呼ばれ、水を加熱または冷却することを目的として用いた製品がチラー等と呼ばれる。
【００１６】
また、冷凍サイクル装置１０の形態として、圧縮機２０と、室外熱交換器３１と、四方弁４０と、室外膨張弁５１と、冷媒貯留槽５３と、室外送風装置６１と、を含む室外機１２、および、室内熱交換器３２と、室内膨張弁５２と、室内送風装置６２と、を含む室内機１３、でユニットを分離して構成することもあるし、室外機１２と、室内機１３と、を一体のユニットとして構成することもある。また、室外機１２と室内機１３を分離する構成においても、室外機１２と室内機１３が同数の場合と、室外機１２よりも室内機１３の台数が多い場合と、がある。
【００１７】
本実施の形態においては、家庭用エアコンや店舗用エアコンに多く見られる、室外機１２と室内機１３が分離しており、室外機１２と室内機１３が１台ずつであるエアコンの構成例を示す。
【００１８】
主回路１１は、室外熱交換器３１で放熱して室内熱交換器３２で吸熱する動作を行う場合には、圧縮機２０、四方弁４０の第１経路４１、室外熱交換器３１、室外膨張弁５１、冷媒貯留槽５３、室内膨張弁５２、室内熱交換器３２をこの順に接続しており、室内熱交換器３２から四方弁４０の第２経路４２を経由して圧縮機２０に戻す回路である。圧縮機２０と四方弁４０の第１経路４１を流路９１によって、四方弁４０の第１経路４１と室外熱交換器３１を流路９２によって、室外熱交換器３１と室外膨張弁５１を流路９３によって、室外膨張弁５１と冷媒貯留槽５３を流路９４によって、冷媒貯留槽５３と室内膨張弁５２を流路９５によって、室内膨張弁５２と室内熱交換器３２を流路９６によって、室内熱交換器３２と四方弁４０の第２経路４２を流路９７によって、四方弁４０の第２経路４２と圧縮機２０を流路９８によって、接続している。
【００１９】
また、室外熱交換器３１で吸熱して室内熱交換器３２で放熱する動作を行う場合には、圧縮機２０、四方弁４０の第３経路４３、室内熱交換器３２、室内膨張弁５２、冷媒貯留槽５３、室外膨張弁５１、室外熱交換器３１をこの順に接続しており、室外熱交換器３１から四方弁４０の第４経路４４を経由して圧縮機２０に戻す回路である。
【００２０】
圧縮機２０と四方弁４０の第３経路４３を流路９１によって、四方弁４０の第３経路４３と室内熱交換器３２を流路９７によって、室内熱交換器３２と室内膨張弁５２を流路９６によって、室内膨張弁５２と冷媒貯留槽５３を流路９５によって、冷媒貯留槽５３と室外膨張弁５１を流路９４によって、室外膨張弁５１と室外熱交換器３１を流路９３によって、室外熱交換器３１と四方弁４０の第４経路４４を流路９２によって、四方弁４０の第４経路４４と圧縮機２０を流路９８によって、接続している。
【００２１】
冷凍サイクル装置１０の動作の別による主回路１１の切り替えは四方弁４０により行うようにしている。主回路１１の内部にはＲ３２やＲ４１０Ａに代表される冷媒と、圧縮機２０の摺動部を潤滑するための圧縮機油を封入している。
【００２２】
圧縮機２０は、ロータリー式圧縮機、すなわち、円筒形の内部空間を有するシリンダと、シリンダの内部の中心軸に対して偏心して配したローターと、シリンダ壁面に設けたスリットに摺動自由に収納されていて先端がローターの円筒面に常に接する構成にした仕切弁と、シリンダにおいて仕切弁の両側に流路９１と流路９８への連通孔と、を備えている。
【００２３】
室外熱交換器３１および室内熱交換器３２は、フィンアンドチューブ式熱交換器、すなわち、厚さ０．１ｍｍ程度のアルミニウムの板に直径５ｍｍ〜８ｍｍ程度の複数個の丸穴が開いていて且つ丸穴が襟状に曲げられているフィンと、銅またはアルミニウムの管と、を備え、数百枚のフィンを並べて丸穴に管を挿入し、管を押し広げてフィンに密着するようにして構成している。
【００２４】
四方弁４０は、内部に備える弁を用いて、第１経路４１と第２経路４２、もしくは、第３経路４３と第４経路４４の組み合わせを切り替えることが可能な構成にしている。
【００２５】
室外膨張弁５１と室内膨張弁５２は、主回路１１に対して冷媒が流れる流路の断面積を小さくする、または、閉塞と開放を切り替える等して、部分的に冷媒を流れにくくする構成にしている。
【００２６】
冷媒貯留槽５３は、容器と、流路９４と流路９５へ接続するための２つの連通孔と、を備え、連通孔から容器内部の下部まで管を延出させており、容器の下部に溜まった液相の冷媒を主回路１１に戻す構成にしている。
【００２７】
室内送風装置６２には、ターボファンや、シロッコファンや、クロスフローファンを用いるのが一般的であるが、軸流ファンを用いたものもある。
【００２８】
室外送風装置６１は、軸流ファン７１とベルマウス７４とで構成される軸流送風機７０と、電動機７９と、を備える。軸流ファン７１によって発生する空気の流れの上流側から下流側へ向かう方向において、室外熱交換器３１と、電動機７９と、軸流ファン７１と、ベルマウス７４と、をこの順に配置している。軸流ファン７１は電動機７９の回転軸１０１に固定している。電動機７９は室外機１２に固定している。
【００２９】
ベルマウス７４は、隙間を有して軸流ファン７１を囲繞し、軸流ファン７１の回転軸１０１と同心の略円筒形の形態である。ベルマウス７４と軸流ファン７１を回転軸１０１の方向に少なくとも部分的に重複して配置し、ベルマウス７４を室外機１２の外板に固定している。
【００３０】
図２は、本発明の第１の実施の形態における軸流送風機の斜視図を示すものである。図２において、軸流送風機７０は、軸流ファン７１と、ベルマウス７４と、を備える。
【００３１】
軸流ファン７１は、複数枚の羽根７２と、ハブ７３と、を備える。羽根７２は、外周に向かうにつれて拡大する扇状である。羽根７２の回転方向の前方の稜線１０６は外周に向かうにつれて回転方向の前方に位置している。
【００３２】
軸流ファン７１の回転軸１０１の軸線を中心としたすべての半径断面において羽根７２によって発生する気流の上流側に凸になるように羽根７２の断面の長さの６％程度の深さを有して略円弧状に曲げられている板状の形態であって、ハブ７３によって、回転軸１０１の周りに等間隔に、且つ、回転軸１０１と直交する面に対して所定の角度を有して保持する構成としており、電動機７９により羽根７２が回転することによって、気流を発生させる構成にしている。
【００３３】
ベルマウス７４は回転軸１０１と同心の略円筒形状で、吸込部７６は吸込側稜線１０２で開口しており、吹出部８５は吹出側稜線１０３もしくは回転軸１０１の軸線に直交する室外機１２の外板に接続されて開口している。またベルマウス７４は少なくとも部分的に冷凍サイクル装置１０の内部に位置するように室外機１２の外板に固定される。
【００３４】
ベルマウス７４の吸込部７６の丸みは、一般的に半径１１３は３０ミリメートル程度を有し、１／４円弧程度あることが好ましいが、室外機１２の小型化により室外熱交換器３１とベルマウス７４との隙間１１４は１０ミリメートル程度で配置されており、回転軸１０１の周囲全周に渡って十分な丸みを有するにはスペースが不十分なレイアウトにあって、ベルマウス７４の吸込部７６は丸みが小さくなっている。ベルマウス７４は樹脂で形成
される。
【００３５】
図３は、本発明の第１の実施の形態における軸流送風機の子午面図を示すものである。特に、図３において、軸流送風機７０はエアガイダー７５を備える。
【００３６】
エアガイダー７５はベルマウス７４に対して気流の上流側に１０ミリメートルから５０ミリメートルの隙間を有して配置される。エアガイダー７５の吹出側稜線１０８はベルマウス７４の吸込側稜線１０２よりも半径が小さい。
【００３７】
エアガイダー７５は気流の上流側に向かって回転軸１０１の軸線に向かって凸となるように湾曲して広がっている。図３において、エアガイダー７５は吸込側接線１０４と回転軸１０１に直交する平面とで成す角度を１０度程度にしており、吹出側接線１０５が回転軸１０１と成す角度を２０度程度にしている。エアガイダー７５の吸込側稜線１０７と吹出側稜線１０８との距離はベルマウス７４の直径の１０パーセント前後にしている。
【００３８】
図４は、本発明の第１の実施の形態における軸流送風機の正面図を示すものである。図４において、エアガイダー７５はベルマウス７４から延出する、回転軸の軸線に直交する平面での断面形状として板厚が１０ミリメートル前後で長さが２０ミリメートル前後の７本の固定リブ７８によって保持している。
【００３９】
固定リブ７８は、翼型（ＮＡＣＡ−４３３０）と呼ばれる空気抵抗が小さい全体的に丸みを帯びた形状の、一部分を切断した形状にしている。翼型の中心線は円弧状であり、固定リブ７８は軸流ファン７１の回転方向とは逆向きに凸となる向きで配置している。
【００４０】
また回転軸１０１と固定リブ７８の中心線の回転軸に近い方の端点とを結んだ直線と、固定リブ７８の断面において固定リブ７８の長手方向の中心線の端点を結んだ直線と、の角度を１０度程度にして配置している。
【００４１】
ベルマウス７４とエアガイダー７５を一体とした場合は樹脂成型においてアンダーカットと呼ばれる成型金型から取り外せない形状になるため、ベルマウス７４と固定リブ７８が一体となった形状と、エアガイダー７５と、を個別に樹脂成型した後に超音波溶接で一体化している。なお、本実施の形態において以下の形態であっても良い。
【００４２】
なお、ベルマウス７４は冷凍サイクル装置１０の外板をプレスや絞り加工等により成形したものであっても良い。気流を整流できる構成であれば材質や加工方法は問わない。
【００４３】
なお、ベルマウス７４は吸込部７６に回転軸１０１の軸線に向かって凸となるように丸みを有しており、周辺部品との接触を回避するために吸込部７６を部分的に切除したものであってもよい。エアガイダー７５によって吸込部７６を切除することにより生じる剥離を低減できる。
【００４４】
なお、エアガイダー７５の吸込側接線１０４と回転軸１０１に直行する平面とで成す角度は軸流送風機７０の使用環境（主に風量）やベルマウス７４とエアガイダー７５との距離によって適した角度が異なるが、概ね０度から２０度の範囲である。
【００４５】
なお、エアガイダー７５の吹出側接線１０５と回転軸１０１とで成す角度は軸流送風機７０の使用環境（主に風量）やベルマウス７４とエアガイダー７５との距離によって適した角度が異なるが、概ね０度〜３０度の範囲である。
【００４６】
なお、固定リブ７８は７本に限定しない。振動対策や必要とする剛性等によって本数は
異なる。また回転軸１０１と直交する平面による固定リブ７８の断面の形状は円柱形状や楕円形状や矩形状や円弧形状であっても良い。
【００４７】
なお、固定リブ７８は、ベルマウス７４によってエアガイダー７５を保持可能であれば断面形状や取り付ける角度は問わない。特に板金でベルマウス７４とエアガイダー７５を形成する場合には円弧形状にして端部にヘミング曲げを適用するなどすればベルマウス７４とエアガイダー７５の剛性を維持しつつ小型化できるので固定リブ７８による流れへの悪影響を小さくできる。
【００４８】
以上のように構成された冷凍サイクル装置１０および軸流送風機７０について、以下その動作、作用を説明する。
【００４９】
まず、冷凍サイクル装置１０が室外熱交換器３１で放熱するとともに室内熱交換器３２で吸熱する動作を行う場合は、主回路１１において、主回路１１に封入した冷媒が低温低圧の気相の状態で圧縮機２０に吸入され、圧縮機２０によって高温高圧の気相の状態に圧縮される。冷媒は四方弁４０によって流れの方向が選択されて室外熱交換器３１へ流れ、室外熱交換器３１によって放熱して中温中圧の液相の状態となる。
【００５０】
冷媒は冷媒貯留槽５３に蓄えられた後に、室内膨張弁５２で冷媒の流れる量が調整されて吐出され、室内熱交換器３２において外気から吸熱して蒸発し、低温低圧の気相の状態に戻り、再び圧縮機２０によって高温高圧の気相の状態に圧縮される。
【００５１】
この一連の動作によって、冷媒を介して室内の熱を室外に移動することになるので、エアコンにおける冷房動作となる。
【００５２】
また、冷凍サイクル装置１０が室外熱交換器３１で吸熱するとともに室内熱交換器３２で放熱する動作を行う場合は、主回路１１において、主回路１１に封入された冷媒が低温低圧の気相の状態で圧縮機２０に吸入され、圧縮機２０によって高温高圧の気相の状態に圧縮される。冷媒は四方弁４０によって流れの方向が選択されて室内熱交換器３２へ流れ、室内熱交換器３２によって放熱して、中温中圧の液相の冷媒となる。
【００５３】
冷媒は冷媒貯留槽５３に蓄えられた後に、室外膨張弁５１で冷媒の流れる量が調整されて吐出され、室外熱交換器３１において外気へ放熱して蒸発し、低温低圧の気相の状態に戻り、再び圧縮機２０によって高温高圧の気相の状態に圧縮される。
【００５４】
この一連の動作によって、冷媒を介して室外の熱を室内に移動することになるので、エアコンにおける暖房動作となる。
【００５５】
なお、室外熱交換器３１で放熱または吸熱する際に、軸流ファン７１を併用することによって、室外機１２の効率向上を図っている。
【００５６】
すなわち、軸流ファン７１を併用しない場合は、室外熱交換器３１は熱い空気は鉛直上方または冷たい空気は鉛直下方に移動するという自然な気流で放熱するので空気の入れ替えが少なく室外機１２の効率が低いのに対して、軸流ファン７１を併用する場合は、強制的に気流を発生させるので空気の入れ替えが多く、室外機１２の効率を向上することができる。
【００５７】
特に、室外機１２の小型化に伴ってベルマウス７４の吸込部７６の丸みが小さいために回転軸１０１の半径方向外方から流入する気流が慣性力によってベルマウス７４の吸込部７６の表面から剥離することで軸流送風機７０の送風路９９の断面積が小さくなり、空気
抵抗が増加して所定の風量における軸流送風機７０の軸動力が増加していたのに対して、エアガイダー７５によって気流の方向をベルマウス７４の表面に沿うように矯正することで剥離を抑制して、空気抵抗を低減し、所定の風量における軸流送風機７０の軸動力を低減している。
【００５８】
以上のように、本実施の形態においてはベルマウス７４に対して気流の上流側に隙間を有して配置されるエアガイダー７５を備え、エアガイダー７５の、気流の下流側の吹出側稜線１０８は、ベルマウス７４の吸込側稜線１０３よりも直径が小さく、且つ、気流の上流側に向かって軸流ファン７１の回転軸１０１の軸線に向かって凸となるように湾曲して広がるエアガイダー７５を備えた軸流送風機とすることにより、一般的にベルマウス７４において剥離がなければ直径が大きいほど性能が良い軸流ファン７１において、ベルマウス７４の吸込部７６が気流の剥離防止に十分な丸みを有した釣り鐘形状ではない場合であっても、エアガイダー７５によって気流をベルマウス７４の吸込部７６に押し付けて、表面に沿うように矯正することで、気流の剥離を抑制することができることとなって、気流の剥離による軸流送風機７０の通風路の断面積の狭小化を抑制できるので空気抵抗の増加を抑制できることと、ベルマウス７４の吸込部７６の丸みを小さくできるためにファンの直径を維持できることと、によって軸流送風機７０の軸動力を低減することができる。
【産業上の利用可能性】
【００５９】
以上のように、本発明にかかるベルマウスおよび軸流送風機は、ベルマウスの吸込部が気流の剥離防止に十分な丸みを有した釣り鐘形状ではない場合であっても軸流送風機の軸動力を低減することが可能となるので、エアコンやチラー等の冷凍サイクル装置の他にも、換気装置や、噴霧装置や、ファンヒーターの燃焼器等の吸気装置や、バイオベンチ等の気流循環装置、等の用途にも適用できる。
【符号の説明】
【００６０】
１    従来技術の軸流ファン
２    従来技術のベルマウス
３    従来技術のベルマウスの吸込部
４    従来技術のベルマウスの丸み部
１０    冷凍サイクル装置
１１    主回路
１２    室外機
１３    室内機
２０    圧縮機
３１    室外熱交換器
３２    室内熱交換器
４０    四方弁
４１    四方弁の第１経路
４２    四方弁の第２経路
４３    四方弁の第３経路
４４    四方弁の第４経路
５１    室外膨張弁
５２    室内膨張弁
５３    冷媒貯留槽
６１    室外送風装置
６２    室内送風装置
７０    軸流送風機
７１    軸流ファン
７２    羽根
７３    ハブ
７４    ベルマウス
７５    エアガイダー
７６    ベルマウスの吸込部
７８    固定リブ
７９    電動機
８５    ベルマウスの吹出部
９１〜９８    流路
９９    送風路
１０１    軸流ファンの回転軸
１０２    ベルマウスの吸込側稜線
１０３    ベルマウスの吹出側稜線
１０４    エアガイダーの吸込側接線
１０５    エアガイダーの吹出側接線
１０６    羽根の回転方向前方の稜線
１０７    エアガイダーの吸込側稜線
１０８    エアガイダーの吹出側稜線
１１１    従来技術の軸流送風機の気流
１１２    本発明の軸流送風機の気流
１１３    ベルマウスの吸込部の丸みの半径
１１４    熱交換器とベルマウスの隙間
【図１】
2019183738.tif 000003
【図２】
2019183738.tif 000004
【図３】
2019183738.tif 000005
【図４】
2019183738.tif 000006
【図５】
2019183738.tif 000007